(57)【要約】      （修正有）【課題】輸血等に用いる注射針不要式コネクター構造を提供する。【解決手段】中空コネクター１、弾性ブロック２、開閉アセンブリ３からなり、中空コネクター１両端に連通する第一液体流路１１及び第二液体流路１２を備え、第一液体流路１１内周には径を狭窄した環状ブロッ部を設け、その上方に第一環状内壁面１１２を形成すると共に下方にはそれより径を拡大した第二環状内壁面１１３を形成し、弾性ブロック２は第一液体流路１１に収容して設置し、開閉アセンブリ３はストッパー３１、及びストッパー３１より連接する導管３２を備え、ストッパー３１は環状ブロック部に向けて弾性ブロック２により押圧され、導管３２を第二液体流路１２に相通し、ストッパー３１の外周に第一環状内壁面１１２に接する第一環状部３１１及び第二環状内壁面１１３に接する第二環状部３１２を設ける。【選択図】図４
0003181640.tif 000002
【実用新案登録請求の範囲】
【請求項１】
注射針不要式コネクター構造であって、中空コネクター、弾性ブロック、開閉アセンブリからなり、
該中空コネクター両端に連通した第一流路及び第二流路を備え、該第一流路内周には、径を狭窄した環状ブロック部を設け、その上方に第一環状壁を形成し、下方には径を拡大した第二環状壁を形成し、
該弾性ブロックは、該第一流路の径を拡大した第二環状壁に収容して設置し、
該開閉アセンブリは、ストッパー、及び該ストッパーから連接する導管を備え、該ストッパーは、該環状ブロックに向けて該弾性ブロックにより押圧力を受けて配置され、該導管は、先端を該第二流路に挿通して設置し、該ストッパーの外周には、該第一環状壁に接して密封する第一環状部、及び該第二環状壁に接して密封する第二環状部を形成し、該ストッパーは、該第一環状部と該第二環状部の間に、該導管に連通する導孔を設けたことを特徴とする注射針不要式コネクター構造。
【請求項２】
前記第一環状壁の内径は、該第二環状壁の内径より小さいことを特徴とする請求項１に記載の注射針不要式コネクター構造。
【請求項３】
前記ストッパーは、チョックブロック、及び該チョックブロック外周に嵌めて設置する２個のOリングを備え、
該チョックブロックは、該導管を延伸し、該２個のOリングは、該チョックブロック外周に嵌めて該第一環状部及び該第二環状部を形成し、該チョックブロックには、該導孔を設けたことを特徴とする請求項１に記載の注射針不要式コネクター構造。
【請求項４】
前記チョックブロックは、肩部、及び該肩部より、該導管の反対方向へと延伸する頭部を備え、
該肩部の外径は、該頭部の外径より大きく、
該該頭部外周には、第一環状溝を設置し、該該肩部外周には、第二環状溝を設置し、
該２個のOリングは、該第一環状溝及び該第二環状溝にそれぞれ嵌合定位して上記第一環状部及び該第二環状部を形成したことを特徴とする請求項３に記載の注射針不要式コネクター構造。
【請求項５】
前記チョックブロックは、該導管の反対側頂面に、入液面を形成し、該該入液面周縁に向けて、少なくとも１個の導流溝を設下したことを特徴とする請求項３に記載の注射針不要式コネクター構造。
【請求項６】
前記中空コネクターは、相互に接続する第一中空体及び第二中空体からなり、
該第一中空体内には、該第一流路を形成し、該第二中空体には、内部に隔壁を設けて、その中央に第二流路を形成した中空管を該第一中空体の反対方向に延長して形成したことを特徴とする請求項１に記載の注射針不要式コネクター構造。
【請求項７】
前記第一中空体は、該第二中空体から離れた端部に、外ネジヤマを開設し、
該第二中空体内には、該隔壁と該中空管の間に相対し、陥没区を形成し、該陥没区の外周縁には、内ネジヤマを開設することを特徴とする請求項６に記載の注射針不要式コネクター構造。
【請求項８】
前記弾性ブロックの一端は、該チョックブロックに接することを特徴とする請求項３に記載の注射針不要式コネクター構造。
【請求項９】
前記弾性ブロックの一端は、該隔壁に接することを特徴とする請求項６に記載の注射針不要式コネクター構造。
【請求項１０】
前記弾性ブロックの材質は、スポンジ、ゴム或いはシリコンゴムで、
該弾性ブロックの外型は、I字状を呈することを特徴とする請求項１に記載の注射針不要式コネクター構造。
【考案の詳細な説明】
【技術分野】
【０００１】
本考案は、輸血或いは輸薬液に用いる医療器具に関し、特に注射針不要式コネクター構造に関する。
【背景技術】
【０００２】
従来のシリンジ注射器は、よく見られる、薬剤注射のための器具である。
しかし、注射針は鋭利な構造であるため、シリンジ注射器を使用する際に、医療スタッフの不注意で針刺し事故が起きる恐れがあり、もし、注射針が清潔でなければ感染が起きる可能性もある。
そのため、医療スタッフと環境に与える影響を回避し、使用上の安全性を高めるため、注射針の廃棄には注意が必要で、専門的な回収と処理措置が必要である。
【０００３】
しかし、これにより医療コストを押し上げてしまっている。
そのため、注射針不要式コネクター構造が開発され、ニードレス式注射器に合わせて薬剤を注射することができるようになっている。
この種の器具は危険性が低く、繰り返し使用が可能であるため、大量の回收によるコスト高騰を回避することができる。
【０００４】
上記の注射針不要式コネクター構造には、特許文献１に示す「Needleless luer
access connector」がある。
それは、中空外殼及び隔片を備え、中空外殼内には、流路を設置する。
該隔片は、中空外殼内に設置し、該流路前で塞ぎ、該流路を密封する。
該隔片は、軟弾性体で、かつ中央にスリットを開設する。
これにより、ニードレス式注射器は、該スリットを通り、該隔片中に挿入される。
こうして、該隔片は変形し、該流路を開放し、ニードレス式注射器内の液体は、注射針不要式コネクター構造を通って患者の体内に進入する。
【０００５】
しかし、特許文献１に示す「Needleless luer
access connector」の構造は、詳細を以下に説明するように、不安定である。
該隔片は、スリットの開閉を通して、該流路の開閉をコントロールするため、長期間の使用により、該隔片に弾性疲労の問題が発生すると、スリットに密着不全の状況が発生し、封鎖の効果が低下してしまう。
注射が終了し、注射器を引き戻す時、負圧方式で、血液と薬剤がコネクター構造内に逆流してしまい、該スリットから溢れ出し、医療スタッフ或いは環境に感染が起きる恐れがある
本考案は、従来の注射針不要式コネクター構造の上記した欠点に鑑みてなされたものである。
【先行技術文献】
【特許文献】
【０００６】
【特許文献１】米国特許第7,713,250号
【特許文献２】特開平１０−３２３３９７号公報
【考案の概要】
【考案が解決しようとする課題】
【０００７】
本考案が解決しようとする課題は、外力が消えると、弾性ブロックがストッパーを押して自動回復させ、第一環状部と第二環状部により薬剤などの流路を閉鎖することにより、構造全体の安定性を高め、良好な封鎖効果を達成し、これにより外界の空気はコネクター構造内に完全に進入することができない注射針不要式コネクター構造を提供することである。
【課題を解決するための手段】
【０００８】
上記課題を解決するため、本考案は下記の注射針不要式コネクター構造を提供する。
注射針不要式コネクター構造は、中空コネクター、を備え、
該中空コネクターは、両端に連通する第一流路及び第二流路を備え、
該第一流路内周には、径を狭窄した環状ブロック部設け、該環状ブロック内周縁には、第一環状壁を形成し、該第一流路は、該環状ブロックと該第二流路の間に、第二環状壁を形成し、
該弾性ブロックは、該第一流路に収容して設置し、
該開閉アセンブリは、ストッパー、及び該ストッパーにより連接する導管を備え、
該ストッパーは、該環状ブロックと該弾性ブロックの間に挟まれて固定され、
該導管は、該第二流路に通して設置し、該ストッパーの外周縁には、該第一環状壁に接触する第一環状部、及び該第二環状壁に接触する第二環状部を形成し、
該ストッパーは、該第一環状部と該第二環状部の間に、該導管に連通する導孔を設置する。
【考案の効果】
【０００９】
本考案の注射針不要式コネクター構造は、以下5項目の効果を備える。
1.  力を受けて弾性疲労が発生しても、弾性ブロックの機能は、ストッパーを押して自動回復させるだけで、ストッパー上の第一環状部及び第二環状部により流路を塞ぐため、注射針不要式コネクター構造を封鎖する機能を達成し、外界空気のコネクター中への進入、或いは患者体内の薬剤と血液の逆流を回避できるため、長期の使用により、弾性ブロックに弾性疲労が発生しても、ストッパーの封鎖効果に影響を及ぼすことはなく、これにより本考案注射針不要式コネクター構造は極めて優れた構造安定性と封鎖能力を備える。
2.  医療上の輸血或いは輸薬の過程において、従来の注射針を使用する必要がなく、ニードレス式注射器と注射針不要式コネクター構造の相互対応接続を利用すれば、針刺し事件の発生を回避でき、注射針の交換及び回收を減らすことで、医療コストを低下させることができる。
3.  ストッパーが、第一流路をスライド移動する過程において、ストッパー外周縁に形成する第二環状部は、常に第二環状壁に接触するため、液体がストッパーと第二環状壁の間の空隙を通して他の位置にしみ出す恐れがなく、こうして液体は、確実に、導孔中に流入し、これにより本考案の注射針不要式コネクター構造は良好な導流安定性を備える。
4.    ストッパーは、チョックブロック、及びチョックブロック周縁に被せて設置する２個のOリングを備え、チョックブロックは、硬質材料で、Oリングは、ゴム或いはシリコン等材質で、チョックブロックは２個のOリングに相対し、第一環状部及び第二環状部を形成し、これにより本考案は簡単で、しかも製造に便利なパーツを利用し、構造が安定したストッパーを簡単に組合わせて構成でき、こうして注射針不要式コネクター構造の製造コストを節減することができる。
5.    ストッパーの、注射ヘッドに接触する表面には、入液面を形成し、入液面周縁には、端縁を備え、端縁には、導流溝を備え、こうして液体は、導流溝を通り、第一流路中に進入し、液体がストッパーの表面に阻害されることを回避でき、液体逆流問題の発生を低下させることができる。
【図面の簡単な説明】
【００１０】
【図１】本考案注射針不要式コネクター構造の立体分解図である。
【図２】本考案注射針不要式コネクター構造の別種の立体分解図である。
【図３】本考案注射針不要式コネクター構造の組合せ模式図である。
【図４】本考案注射針不要式コネクター構造の断面模式図である。
【図５】本考案注射針不要式コネクター構造の使用状態模式図である。
【図６】本考案注射針不要式コネクター構造の別種の使用状態模式図である。
【考案を実施するための形態】
【００１１】
以下に図面を参照しながら本考案を実施するための最良の形態について詳細に説明する。
【実施例】
【００１２】
図１〜４に示すように、本考案の注射針不要式コネクター構造10は、中空コネクター1、弾性ブロック2、開閉アセンブリ3からなる。
【００１３】
該中空コネクター1は両端を連通する第一流路11及び第二流路12を備え、該第一流路11内周には径を狭窄する環状ブロック部を設ける。
【００１４】
該環状ブロック部上方には第一環状壁112を形成し、該環状ブロック部下方には第一環状壁112より径を拡大した第二環状壁113を形成し、該第一環状壁112の内径は、該第二環状壁113の内径より小さい。
【００１５】
該中空コネクター1は、相互に接続する第一中空体13及び第二中空体14からなり、該第一中空体13内には、第一流路11を形成する。
【００１６】
該第二中空体14は、内部に隔壁141を設け、該隔壁141中央に、内部に第二流路12を形成した中空管142を延伸して形成する。
【００１７】
該第一中空体13の、該第二中空体14と反対側の側面には、外ネジヤマ131を開設し、該第二中空体14内には、該隔壁141及び該中空管142の間に相対し、陥没区143を形成し、該陥没区143の外周縁には、内ネジヤマ144を開設する。
【００１８】
前記弾性ブロック2は、該第一流路11に収容して設置され、該弾性ブロック2の材質は、スポンジ、ゴム或いはシリコンゴムであって、該弾性ブロック2の外型は、I字状を呈するが、これに限定するものではない。
【００１９】
該開閉アセンブリ3は、ストッパー31、及び該ストッパー31から連接する導管32を備え、ストッパー31は、該環状ブロック部に接して該弾性ブロック2の押圧力を受けて配置される。
【００２０】
該導管３２は、該第二流路12に挿通して配置され、該ストッパー31の外周には、該第一環状壁112に接する第一環状部311、及び該第二環状壁113に接する第二環状部312を形成する。
【００２１】
該ストッパー31は、該第一環状部311と該第二環状部312の間に、該導管22に連通する導孔313を設ける。
【００２２】
該ストッパー31は、チョックブロック33、及び該チョックブロック33外周に嵌合して設置する２個のOリング34を備え、該チョックブロック33は、プラスチック等の硬質材料で、Oリング34は、ゴム或いはシリコンゴム等材質である。
【００２３】
該チョックブロック33から導管32を延伸し、該２個のOリング34は該チョックブロック33外周に嵌合して第一環状部311及び第二環状部312を形成し、該チョックブロック33には導管22に連通する導孔313を設置する。
【００２４】
該チョックブロック33は、肩部331、及び該肩部331から該導管32の反対方向に頭部332を延伸し、該肩部331の外径は、該頭部332の外径より大きい。
【００２５】
該頭部332外周には、第一環状溝333を設け、該肩部331周縁には、第二環状溝334を設けて、２個の該Oリング34は、該第一環状溝333及び該第二環状溝334にそれぞれ嵌合定位して第一環状部311及び第二環状部312を形成する。
【００２６】
また、該チョックブロック33は、該導管32の反対側頂面に入液面335を形成し、該入液面335周縁に至る一或いは複数の導流溝337を設置する。
【００２７】
さらに、該弾性ブロック2の一端は、該チョックブロック33に接し、反対端は、隔壁141に接する。
【００２８】
これにより、該弾性ブロック2は、該第一流路11中に収容して設置され、該チョックブロック33に、該環状ブロック部へと接する押圧力を加える。
【００２９】
本考案注射針不要式コネクター構造10の組合せは、中空コネクター1両端に、連通する第一流路11及び第二流路12を備え、第一流路11内周に径を狭窄する環状ブロック部を設け、該環状ブロック部上方に第一環状壁112を形成し、下方には径を拡大した第二環状壁113を形成する。
【００３０】
弾性ブロック2は、該第一流路11の径を拡大した第二環状壁113に収容して設置し、開閉アセンブリ3は、ストッパー31、及び該ストッパー31から導管32を連接し、該ストッパー31は、該環状ブロック部に向けて該弾性ブロック2の押圧力を受けて配置される。
【００３１】
該導管31は、先端を該第二流路12に挿通して配置し、該ストッパー31の外周には、第一環状壁112に接する第一環状部311、及び第二環状壁113に接する第二環状部312を形成し、該ストッパー31は、該第一環状部311と該第二環状部312の間に、導管22に連通する導孔313を設置する。
【００３２】
これにより、外力から開放された弾性ブロック2は、該ストッパー31を押圧して自動的に復帰させ、該ストッパー31の第一環状部311及び第二環状部312により、流路を塞ぐ。
【００３３】
こうして、注射針不要式コネクター構造10封鎖の機能を達成し、外界空気のコネクター中への進入、或いは患者体内の薬剤と血液の逆流を回避できるため、長期の使用により、弾性ブロック2に弾性疲労が発生しても、該ストッパー31の封鎖効果に影響を及ぼすことはない。
【００３４】
こうして、本考案注射針不要式コネクター構造10は、極めて優れた構造安定性及び封鎖能力を備える。
【００３５】
本考案注射針不要式コネクター構造の使用状態を示す図５、６に示すように、ニードレス式注射器100の注射ヘッド101は、該中空コネクター1の第一流路11より挿入される。
【００３６】
該注射ヘッド101に、力を加えると、該弾性ブロック2を圧縮して変形させ、該ストッパー31は内側へと後退する。
【００３７】
同時に、該第一環状部311は、もともとの該第一環状壁112の位置から、該第二環状壁113の位置へと移動する。
【００３８】
該第一環状壁112の外径は、該第二環状壁113の外径より小さいため、該第一環状部311の封鎖能力は失効し、ニードレス式注射器100の液体200は、入液面335より、該第一流路11内へと進入する。
【００３９】
さらに、該導孔313を通り、該導管22及び該第二流路12に流入し、最後に、患者体内に進入して、患者の身体に利用される。
【００４０】
これにより、医療上の輸血或いは輸薬の過程において、従来の注射針を使用する必要がなく、ニードレス式注射器100と注射針不要式コネクター構造10の相互対応接続を利用すれば、針刺し事件の発生を回避でき、注射針の交換及び回收を減らすことで、医療コストを低下させることができる。
【００４１】
さらに、該ストッパー31が、該第一流路11をスライド移動する過程において、該ストッパー31外周縁に形成する第二環状部312は、常に該第二環状壁113に接するため、液体200が、該ストッパー31と該第二環状壁113の間の空隙を通って、他の位置へとしみ出す恐れがない。
【００４２】
これにより、液体200は、確実に、該導孔313中に流入し、こうして本考案の注射針不要式コネクター構造10は良好な導流安定性を備える。
【００４３】
さらに、該ストッパー31は、チョックブロック33、及び該チョックブロック33周縁に被せて設置する２個のOリング34を備え、該チョックブロック33は、硬質材料で、Oリング34は、ゴム或いはシリコンゴム等材質である。
【００４４】
該チョックブロック33は、２個の該Oリング34により密閉作用をする第一環状部311及び第二環状部312を形成するため、本考案は簡単で、しかも製造に便利なパーツを利用し、構造が安定したストッパー31を簡単に組み立てて構成でき、こうして注射針不要式コネクター構造10の製造コストを節減することができる。
【００４５】
また、該ストッパー31の、注射ヘッド101に接する端面には、入液面335を形成し、該入液面335周縁に至る導流溝337を備えるため、液体200は、該導流溝337を通り、該第一流路11中に進入し、液体200が該ストッパー31の表面に阻害されることを回避でき、液体200逆流問題の発生を低下させることができる。
【００４６】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００４７】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００４８】
10  注射針不要式コネクター構造
1  中空コネクター
11  第一流路
112  第一環状壁
113  第二環状壁
12  第二流路
13  第一中空体
131  外ネジヤマ
14  第二中空体
141  隔壁
142  中空管
143  陥没区
144  内ネジヤマ
2  弾性ブロック
3  開閉アセンブリ
31  ストッパー
311  第一環状部
312  第二環状部
313  導孔
32  導管
33  チョックブロック
331  肩部
332  頭部
333  第一環状溝
334  第二環状溝
335  入液面
336  端縁
337  導流溝
34  Oリング
100  ニードレス式注射器
101  注射ヘッド
200  液体
【図１】
0003181640.tif 000003
【図２】
0003181640.tif 000004
【図３】
0003181640.tif 000005
【図４】
0003181640.tif 000006
【図５】
0003181640.tif 000007
【図６】
0003181640.tif 000008